(57)【特許請求の範囲】
【請求項１】
多段の干渉キャンセラと、回線品質検出手段とを有し、
１段目の前記干渉キャンセラは、アンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
２段目以降の前記干渉キャンセラは、前段の干渉キャンセラから出力される受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
前記回線品質検出手段は、前記キャンセラの各段から出力される各受信データを比較して、これらの受信データの一致の度合を検出するものであることを特徴とする信号受信装置。
【請求項２】
前記回線品質検出手段は、各受信データに対し、全ての組み合わせについてその差の２乗値を求め、これら２乗値の合計値を算出して、前記一致の度合を検出することを特徴とする請求項１に記載の信号受信装置。
【請求項３】
前記回線品質検出手段は、各受信データに対し、全ての組み合わせについてその差の絶対値を求め、これら絶対値の合計値を算出して、前記一致の度合を検出することを特徴とする請求項１に記載の信号受信装置。
【請求項４】
多段の干渉キャンセラと、前記干渉キャンセラの各段に対応する多段の判定手段と、回線品質検出手段とを有し、
１段目の前記干渉キャンセラは、アンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
１段目の前記判定手段は、前記１段目の干渉キャンセラから出力される受信データをデコードして該受信データを判定するものであり、
２段目以降の前記干渉キャンセラは、前段の判定手段から出力される判定データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
２段目以降の前記判定手段は、当該段の干渉キャンセラから出力される受信データをデコードして該受信データを判定するものであり、
前記回線品質検出手段は、前記判定手段の各段から出力される各判定データを比較して、これらの判定データの一致の度合を検出するものであることを特徴とする信号受信装置。
【請求項５】
前記回線品質検出手段は、各判定データに対し、全ての組み合わせについてその排他的論理和を求め、これら排他的論理和の合計値を算出して、前記一致の度合を検出することを特徴とする請求項４に記載の信号受信装置。
【請求項６】
前記回線品質検出手段は、各判定データに対し、何れかのデータと他の全てのデータとの排他的論理和を求め、これら排他的論理和の合計値を算出して、前記一致の度合を検出することを特徴とする請求項４に記載の信号受信装置。
【請求項７】
複数系列の多段の干渉キャンセラと、前記干渉キャンセラの各系列の各段に対応する多段の判定手段と、前記複数系列の干渉キャンセラの各段に対応する多段の合成判定手段と、回線品質検出手段とを有し、
各系列の１段目の前記干渉キャンセラは、それぞれの系列に対応したアンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
各系列の１段目の前記判定手段は、前記１段目の干渉キャンセラから出力される受信データをデコードして該受信データを判定するものであり、
１段目の前記合成判定手段は、前記各系列の１段目の干渉キャンセラのそれぞれから出力される受信データを合成した信号をデコードして１段目の受信データを判定するものであり、
各系列の２段目以降の前記干渉キャンセラは、前段の合成判定手段から出力される判定データに基づいて、前記直接拡散信号に含まれる干渉信号のレプリカを生成し、前記直接拡散信号から前記レプリカを差し引いた信号に基づいて、干渉信号の影響が低減された受信データを出力するものであり、
各系列の２段目以降の前記判定手段は、前段の干渉キャンセラから出力される受信データをデコードして該受信データを判定するものであり、
２段目以降の前記合成判定手段は、各系列の当該段の干渉キャンセラのそれぞれから出力される受信データを合成した信号をデコードして当該段の受信データを判定するものであり、
前記回線品質検出手段は、前記判定手段の各系列の各段及び前記合成判定手段の各段から出力される各判定データを比較して、これらの判定データの一致の度合を検出するものであることを特徴とする信号受信装置。
【請求項８】
前記回線品質検出手段は、同一段の前記判定手段から出力される判定データの排他的論理和を全ての段について求め、これら排他的論理和の第１の合計値を算出すると共に、隣り合う合成判定手段から出力される判定データの排他的論理和を全ての組み合わせについて求め、これら排他的論理和の第２の合計値を算出し、得られた前記第１の合計値と第２の合計値を加算した値を算出して、前記一致の度合を検出することを特徴とする請求項７に記載の信号受信装置。
【発明の詳細な説明】
【０００１】
【発明の属する技術分野】
本発明は、パイロットチャンネルを用いたＤＳ−ＣＤＭＡ（Direct Sequence - Code Division Multiple Access ）システム等に用いられる信号受信装置に関する。
【０００２】
【従来の技術】
ＤＳ−ＣＤＭＡシステムとして、北米で標準化されたＣＤＭＡ方式セルラ電話システム（ＴＩＡ  ＩＳ９５）がある。このシステムでは、下りリンクにおいて、パイロットチャンネルにパイロットシンボルを挿入して送信し、受信側でこのパイロットチャンネルの受信信号に基づいてキャリア位相を検出し、同期検波を行っている。
【０００３】
ＤＳ−ＣＤＭＡシステム対応の高速データ伝送装置においては、多重遅延波による伝送性能劣化が問題となる。このような多重遅延波による伝送性能劣化を防止するため、複数のデータから統計的なビット誤り率を推定する装置がある（特願平１１−１２９６６号公報参照）。
【０００４】
図６は、従来のビット誤り率推定装置の構成を示すブロック図である。同図に示すビット誤り率推定装置５００は、復調器の機能と共に受信データの誤り率を推定する機能を併有するものである。このビット誤り率推定装置５００においては、ｎ段の干渉キャンセラ５１３−１〜５１３−ｎが縦続接続されている。また、各干渉キャンセラ５１３−１〜５１３−ｎに対応して誤り推定部５０７−０〜５０７−ｎ−１が備えられており、１段目の干渉キャンセラ５１３−１の入出力間に誤り率推定部５０７−０が挿入され、同様に２段目以降の干渉キャンセラ５１３−２〜５１３−ｎの入出力間に誤り率推定部５０７−１〜５０７−ｎ−１が挿入されている。
【０００５】
受信アンテナ５０３で受信された直接拡散信号は、ベースバンド変換部５０４において基準周波数信号と乗算されることによりベースバンド信号に変換され、ＲＡＫＥ受信部５０５に入力される。ＲＡＫＥ受信部５０５においては、直接拡散信号が逆拡散され、更に同期検波されたものが最大比合成されて受信データとして出力される。
【０００６】
１段目の干渉キャンセラ５１３−１は、ＲＡＫＥ受信部５０５から出力される受信データに基づいて、直接拡散信号に含まれる干渉信号のレプリカを生成する。そして、干渉キャンセラ５１３−１は、遅延器５０６−１から出力される直接拡散信号からレプリカを差し引くことにより、干渉信号の影響が低減された直接拡散信号を生成し、この干渉信号の影響が低減された直接拡散信号に対して逆拡散を行い、デコードすることによって受信データを出力する。２段目以降の干渉キャンセラ５１３−２〜５１３−ｎは、前段の干渉キャンセラから出力される受信データに基づいて、直接拡散信号に含まれる干渉信号のレプリカを生成する。そして、干渉キャンセラ５１３−２〜５１３−ｎは、当該段の遅延器５０６から出力される直接拡散信号からレプリカを差し引くことにより、干渉信号の影響が低減された直接拡散信号を生成し、この干渉信号の影響が低減された直接拡散信号に対して逆拡散を行い、デコードすることによって受信データを出力する。
【０００７】
誤り率推定部５０７−０〜５０７−ｎ−１は、対応する干渉キャンセラ５１３−１〜５１３−ｎに入力される受信データと、干渉がキャンセルされて出力される受信データの値が異なる割合を誤り情報として出力する。図７は、誤り率推定部５０７−０の詳細な構成を示すブロック図である。なお、他の誤り率推定部５０７−１〜５０７−ｎ−１も同様の構成を有している。
【０００８】
同図において、排他的論理和（ＸＯＲ）ゲート５０８は、対応する干渉キャンセラ５１３−１へ入力される受信データと、該干渉キャンセラ５１３−１から出力される受信データとの排他的論理和を計算する。この演算により、２つの受信データが異なっている場合、すなわち干渉キャンセラ５１３−１によって干渉キャンセルされ、誤った受信データが正しい受信データに変化した場合には、ＸＯＲゲート５０８から「１」が出力される。従って、ＸＯＲゲート５０８から「１」が出力される場合には、干渉キャンセラ５１３−１に入力される受信データに誤りがあったことが推定される。
【０００９】
カウンタ５０９は、ＸＯＲゲート５０８から出力される「１」の数をカウントする。割り算部５１０によって、このカウンタ値を全入力データ数で割ることにより、干渉キャンセラ５１３−１の入出力データ間のビット誤り率の差分推定値が求められる。校正部５１１は、ビット誤り率の差分推定値の精度を向上させるためのものであり、この校正部５１１から出力される校正後の値が最終的なビット誤り率の差分推定値となる。
【００１０】
このように、各段毎のビット誤り率の差分推定値を導出することにより、受信データの統計的な誤り率を推定することが可能になる。
【００１１】
【発明が解決しようとする課題】
ところで、最近の信号受信装置では、復調器の後段に誤り訂正回路が備えられていることが多い。しかしながら、上述したビット誤り率推定装置５００を復調器として使用した場合には、受信データの統計的な誤り率は、後段の誤り訂正回路による誤り訂正に役立てることができなかった。このため、誤り訂正に役立てることができるように、受信データのビット毎の確からしさを導出し、誤り訂正の性能を向上させることが要求されている。
【００１２】
本発明は、上記従来の問題点を解決し、誤り訂正の性能を向上させることが可能な信号受信装置を提供することにある。
【００１３】
【課題を解決するための手段】
上記目的を達成するため、本発明の信号受信装置は、多段の干渉キャンセラと、回線品質検出手段とを有し、１段目の前記干渉キャンセラは、アンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、２段目以降の前記干渉キャンセラは、前段の干渉キャンセラから出力される受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、前記回線品質検出手段は、前記キャンセラの各段から出力される各受信データを比較して、これらの受信データの一致の度合を検出するものとして構成される。
【００１４】
この場合において、前記回線品質検出手段は、各受信データに対し、全ての組み合わせについてその差の２乗値を求め、これら２乗値の合計値を算出して、前記一致の度合を検出することが好ましい。また、前記回線品質検出手段は、各受信データに対し、全ての組み合わせについてその差の絶対値を求め、これら絶対値の合計値を算出して、前記一致の度合を検出することが好ましい。
【００１５】
また、本発明の信号受信装置は、多段の干渉キャンセラと、前記干渉キャンセラの各段に対応する多段の判定手段と、回線品質検出手段とを有し、１段目の前記干渉キャンセラは、アンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、１段目の前記判定手段は、前記１段目の干渉キャンセラから出力される受信データをデコードして該受信データを判定するものであり、２段目以降の前記干渉キャンセラは、前段の判定手段から出力される判定データに基づいて、前記直接拡散信号に含まれる干渉信号のレプリカを生成し、前記直接拡散信号から前記レプリカを差し引いた信号に基づいて、干渉信号の影響が低減された受信データを出力するものであり、２段目以降の前記判定手段は、当該段の干渉キャンセラから出力される受信データをデコードして該受信データを判定するものであり、前記回線品質検出手段は、前記判定手段の各段から出力される各判定データを比較して、これらの判定データの一致の度合を検出するものとして構成される。
【００１６】
この場合において、前記回線品質検出手段は、各判定データに対し、全ての組み合わせについてその排他的論理和を求め、これら排他的論理和の合計値を算出して、前記一致の度合を検出することが好ましい。また、前記回線品質検出手段は、各判定データに対し、何れかのデータと他の全てのデータとの排他的論理和を求め、これら排他的論理和の合計値を算出して、前記一致の度合を検出することが好ましい。
【００１７】
また、本発明の信号受信装置は、複数系列の多段の干渉キャンセラと、前記干渉キャンセラの各系列の各段に対応する多段の判定手段と、前記複数系列の干渉キャンセラの各段に対応する多段の合成判定手段と、回線品質検出手段とを有し、各系列の１段目の前記干渉キャンセラは、それぞれの系列に対応したアンテナで受信された直接拡散信号から予め得られた初期受信データに基づいて、前記直接拡散信号に含まれる干渉信号のレプリカを生成し、前記直接拡散信号から前記レプリカを差し引いた信号に基づいて、干渉信号の影響が低減された受信データを出力するものであり、各系列の１段目の前記判定手段は、前記１段目の干渉キャンセラから出力される受信データをデコードして該受信データを判定するものであり、１段目の前記合成判定手段は、前記各系列の１段目の干渉キャンセラのそれぞれから出力される受信データを合成した信号をデコードして１段目の受信データを判定するものであり、各系列の２段目以降の前記干渉キャンセラは、前段の合成判定手段から出力される判定データに基づいて、前記直接拡散信号に含まれる干渉信号のレプリカを生成し、前記直接拡散信号から前記レプリカを差し引いた信号に基づいて、干渉信号の影響が低減された受信データを出力するものであり、各系列の２段目以降の前記判定手段は、前段の干渉キャンセラから出力される受信データをデコードして該受信データを判定するものであり、２段目以降の前記合成判定手段は、各系列の当該段の干渉キャンセラのそれぞれから出力される受信データを合成した信号をデコードして当該段の受信データを判定するものであり、前記回線品質検出手段は、前記判定手段の各系列の各段及び前記合成判定手段の各段から出力される各判定データを比較して、これらの判定データの一致の度合を検出するものとして構成される。
【００１８】
この場合において、前記回線品質検出手段は、同一段の前記判定手段から出力される判定データの排他的論理和を全ての段について求め、これら排他的論理和の第１の合計値を算出すると共に、隣り合う合成判定手段から出力される判定データの排他的論理和を全ての組み合わせについて求め、これら排他的論理和の第２の合計値を算出し、得られた前記第１の合計値と第２の合計値を加算した値を算出して、前記一致の度合を検出することが好ましい。
【００１９】
【発明の実施の形態】
以下、図示した一実施形態に基いて本発明を詳細に説明する。図１は、本発明に係る信号受信装置の構成を示すブロック図である。同図に示す信号受信装置１００は、受信アンテナ１１０、復調器１２０、回線品質指数検出器１３０によって構成される。この信号受信装置１００は、受信した直接拡散信号を復調することによって得られるｎ段の受信データＤ1 〜Ｄn を用いて所定の演算を行うことにより、受信データのビット毎の確からしさ（回線品質指数ＱＩ）を出力するものである。
【００２０】
受信アンテナ１１０は、直接拡散信号を受信する。復調器１２０は、この受信アンテナ１１０で受信された直接拡散信号を復調し、ｎ段の受信データＤ1 〜Ｄn を出力する。図２は、復調器の詳細な構成を示すブロック図である。同図に示すように、復調器１２０は、ベースバンド変換部１２１、ＲＡＫＥ受信部１２２、縦列接続されたｎ段の遅延器１２３−１〜１２３−ｎ、縦列接続されたｎ段の干渉キャンセラ１２４−１〜１２４−ｎを含んで構成される。
【００２１】
ベースバンド変換部１２１は、受信アンテナ１１０によって受信された直接拡散信号に基準周波数信号を乗算することにより、ベースバンド信号に変換し、ＲＡＫＥ受信部１２２へ出力する。ＲＡＫＥ受信部１２２は、後段の干渉キャンセラ１２４−１〜１２４−ｎによる干渉キャンセル動作に必要となる、ある程度確からしい初期受信データを生成するものである。このＲＡＫＥ受信部１２２は、ベースバンド変換された直接拡散信号を逆変換し、更に同期検波したものを最大比合成して、初期受信データを出力する。
【００２２】
１段目の干渉キャンセラ１２４−１は、ＲＡＫＥ受信部１２２から出力される初期受信データに基づいて、直接拡散信号のレプリカを生成し、当該段の遅延器１２３−１から出力される直接拡散信号から生成したレプリカを差し引くことにより、干渉信号の影響が低減された直接拡散信号を生成する。ここで、ベースバンド変換部１２１から出力される直接拡散信号を直接入力しないで遅延器１２３−１を介するようにするのは、ＲＡＫＥ受信部１２２の処理遅延時間を補償するためである。干渉キャンセラ１２４−１は、このようにして生成した直接拡散信号に対して逆拡散を行い、受信データＤ1 を次段の干渉キャンセラ１２４−２と回線品質指数検出器１３０へ出力する。
【００２３】
２段目の干渉キャンセラ１２４−２は、基本的には、１段目の干渉キャンセラと同様の動作を行う。ただし、ある程度確からしいデータとして、１段目の干渉キャンセラ１２４−１から出力される受信データＤ1 を用いる。すなわち、２段目の干渉キャンセラ１２４−２は、前段の干渉キャンセラ１２４−１から出力される受信データＤ1 に基づいて、直接拡散信号のレプリカを生成し、当該段の遅延器１２３−２から出力される直接拡散信号から生成したレプリカを差し引くことにより、干渉信号の影響が低減された直接拡散信号を生成する。遅延器１２３−２は、１段目の干渉キャンセラ１２４−１の処理遅延時間を補償するものである。干渉キャンセラ１２４−２は、このようにして生成した直接拡散信号に対して逆拡散を行い、受信データＤ2 を次段の干渉キャンセラ１２４−３と回線品質指数検出器１３０へ出力する。２段目の干渉キャンセラ１２４−２に入力される受信データＤ1 は、初期受信データよりも干渉の影響が低減されたものであるから、この受信データＤ1 を用いて干渉キャンセルを行うことにより、出力される受信データＤ2 は受信データＤ1よりも、さらに確からしいものになる。
【００２４】
３段目以降の干渉キャンセラ１２４−３〜１２４−ｎにおいても、２段目の干渉キャンセラ１２４−２と同様の干渉キャンセルの動作が行われ、受信データＤ3 〜Ｄn が回線品質検出器１３０に出力される。なお、最終段の干渉キャンセラ１２４−ｎから出力される受信データＤn は、後段の誤り訂正回路（図示せず）にも入力される。
【００２５】
回線品質指数検出器１３０は、上述した各干渉キャンセラ１２４−１〜１２４−ｎから出力される受信データＤ1 〜Ｄn を比較することにより、回線品質指数ＱＩを検出するものである。この回線品質指数ＱＩは、受信データの一致の度合（受信データのビット毎の確からしさ）を示すものであり、受信データが確からしいほど、その値が小さくなるようになっている。具体的には、回線品質指数検出器１３０は、各受信データＤ1 〜Ｄn の同一位置のビットに対し、全ての組み合わせについてその差の２乗値を求め、これら２乗値の合計値を算出することによって、回線品質指数ＱＩを求める。算出式で表すと、
【００２６】
【式１】
0004045063.tif 000002
となる。
【００２７】
ここで、干渉キャンセラ１２４−１〜１２４−ｎによる干渉キャンセル動作によって受信データが変化した場合、すなわち受信データがあまり確からしくない場合には、受信データＤ1 〜Ｄn が同じ値にはならない。従って、式１から算出される回線品質指数ＱＩは０でないある値になる。また、受信データが変化する回数が多いほど、回線品質指数ＱＩの値は大きくなる。一方、干渉キャンセラ１２４−１〜１２４−ｎによる干渉キャンセル動作によって受信データが変化しなかった場合、すなわち受信データが確からしい場合には、受信データＤ1 〜Ｄn が同じ値になる。従って、式１から算出される回線品質指数ＱＩは０になる。
【００２８】
なお、他の算出式によっても求めることができる。具体的には、回線品質指数検出器１３０は、各受信データＤ1 〜Ｄn の同一位置のビットに対し、全ての組み合わせについてその差の絶対値を求め、これら絶対値の合計値を算出することによって、回線品質指数ＱＩを求めてもよい。算出式で表すと、
【００２９】
【式２】
0004045063.tif 000003
となる。式２〜式４によって回線品質指数ＱＩを求める場合にも、式１によって求める場合と同様に、受信データが確からしいほど、その値が小さくなる。
【００３０】
このように、信号受信装置１００では、回線品質指数検出器１３０によって、各干渉キャンセラ１２４−１〜１２４−ｎから出力される受信データＤ1 〜Ｄn を比較することにより、受信データＤn のビット毎の確からしさを示す回線品質指数ＱＩを検出する。従って、信号受信装置１００の後段に誤り訂正回路が備えられる場合には、該誤り訂正回路は、回線品質指数ＱＩによって、受信データＤn がどの程度確からしいかを認識することができ、誤り訂正の性能を向上させることが可能となる。
【００３１】
ところで、上述した実施形態では、復調器１２０は、回線品質指数検出器１３０へ受信データを出力したが、受信データの判定を行うことによって得られる判定データを出力するようにしてもよい。
【００３２】
図３は、復調器の変形例の詳細な構成を示すブロック図である。同図に示すように、復調器１２０ａは、ｎ段の判定部１２５−１〜１２５−ｎを備えている以外は、復調器１２０と同様の構成である。
【００３３】
ベースバンド変換部１２１、ＲＡＫＥ受信部１２２、遅延器１２３−１〜１２３−ｎ及び干渉キャンセラ１２４−１〜１２４−ｎについては、上述した復調器１２０における動作と同様であるので、その説明は省略する。１段目の判定部１２５−１は、１段目の干渉キャンセラ１２４−１から出力される受信データをデコードして判定を行い、２値の判定データＤ1 を２段目の干渉キャンセラ１２４−２と回線品質指数検出器１３０へ出力する。２段目以降の判定部１２５−２〜１２５−ｎにおいても同様の動作が行われ、２値の判定データＤ2 〜Ｄn が回線品質指数検出器１３０へ出力される。なお、最終段の判定部１２５−ｎから出力される判定データＤn は、後段の誤り訂正回路（図示せず）にも入力される。
【００３４】
回線品質指数検出器１３０は、上述した各判定部１２５−１〜１２５−ｎから出力される判定データＤ1 〜Ｄn を比較することにより、回線品質指数ＱＩを検出する。具体的には、回線品質指数検出器１３０は、判定データＤ1 〜Ｄn に対し、全ての組み合わせについてその排他的論理和を求め、これら排他的論理和の合計値を算出することによって、回線品質指数ＱＩを求める。算出式で表すと、
【００３５】
【式３】
0004045063.tif 000004
となる。
【００３６】
また、回線品質指数検出器１３０は、各判定データＤ1 〜Ｄn に対し、何れかの判定データＤk と他の全ての判定データとの排他的論理和を算出し、これらの排他的論理和の合計値を算出することにより、回線品質指数ＱＩを求めてもよい。算出式で表すと、
【００３７】
【式４】
0004045063.tif 000005
となる。
【００３８】
このように、回線品質指数検出器１３０によって、各判定部１２５−１〜１２５−ｎから出力される判定データＤ1 〜Ｄn を比較することにより、判定データＤn のビット毎の確からしさを示す回線品質指数ＱＩを検出する。従って、信号受信装置１００の後段に誤り訂正回路が備えられる場合には、該誤り訂正回路は、回線品質指数ＱＩによって、判定データＤn がどの程度確からしいかを認識することができ、誤り訂正の性能を向上させることが可能となる。
【００３９】
また、マルチユーザ・マルチステージ干渉キャンセラから出力される各判定データから回線品質指数ＱＩを求めることもできる。図４は、マルチユーザ・マルチステージ干渉キャンセラを備えた信号受信装置の構成を示すブロック図である。同図に示す信号受信装置４００は、２系列の受信アンテナ４１０ａ、４１０ｂ、復調器４２０、回線品質指数検出器４３０によって構成される。
【００４０】
アンテナ４１０ａ、４１０ｂは、ダイバーシチー用に２系統設けられている。復調器４２０は、これら受信アンテナ４１０ａ、４１０ｂにより受信された信号を復調する。図４に示すように、復調器４２０は、１の系列（系列１）のベースバンド変換部４２１ａ、ＲＡＫＥ受信部４２２ａ、ｎ段の遅延器４２３ａ−１〜４２３ａ−ｎ、ｎ段の干渉キャンセラ４２４ａ−１〜４２４ａ−ｎ、ｎ段の判定部４２５ａ−１〜４２５ａ−ｎと、他の系列（系列２）のベースバンド変換部４２１ｂ、ＲＡＫＥ受信部４２２ｂ、ｎ段の遅延器４２３ｂ−１〜４２３ｂ−ｎ、ｎ段の干渉キャンセラ４２４ｂ−１〜４２４ｂ−ｎ、ｎ段の判定部４２５ｂ−１〜４２５ｂ−ｎと、ｎ段の合成・判定部４２６−１〜４２６−ｎを含んで構成される。
【００４１】
系列１のベースバンド変換部４２１ａは、対応する系列の受信アンテナ４１０ａによって受信された直接拡散信号に基準周波数信号を乗算することにより、ベースバンド信号に変換する。系列２のベースバンド変換部４２１ｂも、同様に、対応する系列の受信アンテナ４１０ｂによって受信された直接拡散信号に基準周波数信号を乗算することにより、ベースバンド信号に変換する。
【００４２】
系列１のＲＡＫＥ受信部４２２ａは、後段の干渉キャンセラ４２４ａ−１〜４２４ａ−ｎによる干渉キャンセル動作に必要となる、ある程度確からしい初期受信データを生成し、出力する。系列２のＲＡＫＥ受信部４２２ｂも、同様に、後段の干渉キャンセラ４２４ｂ−１〜４２４ｂ−ｎによる干渉キャンセル動作に必要となる、初期受信データを生成し、出力する。
【００４３】
系列１の１段目の干渉キャンセラ４２４ａ−１は、対応する系列のＲＡＫＥ受信部４２２ａから出力される初期受信データに基づいて、直接拡散信号のレプリカを生成し、当該段の遅延器４２３ａ−１から出力される直接拡散信号から生成したレプリカを差し引くことにより、干渉信号の影響が低減された直接拡散信号を生成する。系列２の１段目の干渉キャンセラ４２４ｂ−１も、同様に、対応する系列のＲＡＫＥ受信部４２２ｂから出力される初期受信データに基づいて、直接拡散信号のレプリカを生成し、当該段の遅延器４２３ｂ−１から出力される直接拡散信号から生成したレプリカを差し引くことにより、干渉信号の影響が低減された直接拡散信号を生成する。干渉キャンセラ４２４ａ−１、４２４ｂ−１は、このようにして生成した直接拡散信号に対して逆拡散を行い、受信データを出力する。
【００４４】
系列１の１段目の判定部４２５ａ−１は、１段目の干渉キャンセラ４２４ａ−１から出力される受信データをデコードして判定を行い、判定データＣ11(m)を出力する。系列２の１段目の判定部４２５ａ−１も、同様に、１段目の干渉キャンセラ４２４ａ−１から出力される受信データをデコードして判定を行い、判定データＣ21(m) を出力する。以下において、Ｃ1k(m) はユーザｍに対する系列１のｋ段目の判定部から出力される判定データを示し、Ｃ2k(m) はユーザｍに対する系列２のｋ段目の判定部から出力される判定データを示すものとする。
【００４５】
１段目の合成・判定部４２６−１は、１段目の干渉キャンセラ４２４ａ−１、４２４ｂ−１から出力される２つの判定データを合成し、その合成した信号をデコードして判定を行い、判定データＤＣ(1,m) を出力する。以下において、ＤＣ(k,m) は、ユーザｍに対するｋ段目の合成・判定部から出力される判定データを示すものとする。
【００４６】
２段目の干渉キャンセラ４２４ａ−２、４２４ｂ−２は、１段目の合成・判定部４２６−１から出力される判定データＤＣ(1,m) に基づいて、直接拡散信号のレプリカを生成し、当該段の遅延器４２３ａ−２、４２３ｂ−２から出力される直接拡散信号から生成したレプリカを差し引くことにより、干渉信号の影響が低減された直接拡散信号を生成する。干渉キャンセラ４２４ａ−１、４２４ｂ−１は、このようにして生成した直接拡散信号に対して逆拡散を行い、受信データを出力する。
【００４７】
２段目の判定部４２５ａ−２、４２５ｂ−２は、対応する系列の２段目の干渉キャンセラ４２４ａ−２、４２４ｂ−２から出力される受信データをデコードして判定を行い、判定データＣ12(m)、Ｃ22(m)を出力する。
【００４８】
２段目の合成・判定部４２６−２は、２段目の干渉キャンセラ４２４ａ−２、４２４ｂ−２から出力される受信データを合成し、その合成した信号をデコードして判定を行い、判定データＤＣ(2,m) を出力する。
【００４９】
３段目以降の干渉キャンセラ４２４ａ−３〜４２４ａ−ｎ及び４２４ｂ−３〜４２４ｂ−ｎにおいても、それぞれ２段目の干渉キャンセラ４２４ａ−２、４２４ｂ−２と同様の動作が行われる。また、３段目以降の判定部４２５ａ−３〜４２５ａ−ｎ及び４２５ｂ−３〜４２５ｂ−ｎにおいても、判定部４２５ａ−２、４２５ｂ−２と同様の動作によって判定データＣ13(m) 〜Ｃ1n(m) 及びＣ23(m) 〜Ｃ2n(m) が回線品質検出器１３０に出力され、３段目以降の合成・判定部４２６−３〜４２６−ｎにおいても、２段目の合成・判定部４２６−２と同様の動作によって、判定データＤＣ(3,m) 〜ＤＣ(n,m) が回線品質検出器１３０に出力される。なお、最終段の合成・判定部４２６−ｎから出力されるＤＣ(n,m) は、後段の誤り訂正回路（図示せず）にも入力される。
【００５０】
回線品質指数検出器４３０は、上述した各判定部４２５ａ−１〜４２５ａ−ｎ及び４２５ｂ−１〜４２５ｂ−ｎから出力される判定データＣ11(m) 〜Ｃ1n(m) 及びＣ21(m) 〜Ｃ2n(m) 、合成・判定部４２６−１〜４２６−ｎから出力されるＤＣ(1,m) 〜ＤＣ(n,m) を比較することにより、回線品質指数ＱＩを検出する。具体的には、回線品質指数検出器１３０は、２つの同一段の判定部４２５から出力される判定データの排他的論理和を全ての段について求め、これら排他的論理和の合計値（第１の合計値）を算出すると共に、隣り合う合成判定部４２６から出力される判定データの排他的論理和を全ての組み合わせについて求め、これら排他的論理和の合計値（第２の合計値）算出し、得られた前記第１の合計値と第２の合計値を加算した値を算出することによって、ユーザｍに対する回線品質指数ＱＩ(m) 求める。算出式で表すと、
【００５１】
【式５】
0004045063.tif 000006
となる。
【００５２】
図５は、計算機シミュレーションによって得られた回線品質指数と判定データとの対応を示すグラフである。この計算機シミュレーションにおいては、データ変調、拡散変調は共にＱＰＳＫ、拡散長は６４、チップレートは４０Ｍｃｐｓ、伝搬モデルは１チップずつ遅延した４パスの等電力で独立なレイリーフェージングモデルとし、最大ドップラ周波数は４００Ｈｚとした。また、ユーザ数は２４、各ユーザの電力は全て等しく、パイロットチャンネルの平均電力は各ユーザの平均電力より９ｄＢ大きくした。
【００５３】
図５は、Ｅｂ／Ｎｏ（Ｅｂは１ビット当たりの信号電力、Ｎｏは１Ｈｚ当たりのノイズ電力）が−４、０、４ｄＢの場合において、４段目の判定データＤＣ(4,m) が正しいものである場合に、その判定データに回線品質指数ＱＩ(m) の各値が対応する確率と、４段目の判定データＤＣ(4,m) が誤っているものである場合に、その判定データに回線品質指数ＱＩ(m) の各値が対応する確率とを示す。例えば判定データＤＣ(4,m) が正しいものである場合（同図の白丸、白三角、白四角）には、その判定データに対応する回線品質指数ＱＩ(m) は「０」になる確率が非常に高く、他の値になる確率は極めて低い。換言すれば、回線品質指数ＱＩ(m) が「０」の場合には、判定データは確からしいといえる。
【００５４】
以上、本発明の一実施形態を図面に沿って説明した。しかしながら本発明は前記実施形態に示した事項に限定されず、特許請求の範囲の記載に基いてその変更、改良等が可能であることは明らかである。
【００５５】
【発明の効果】
以上の如く本発明によれば、各受信データあるいは判定データについて、一致の度合、すなわち受信データあるいは判定データのビット毎の確からしさを検出する。従って、信号受信装置の後段に誤り訂正回路が備えられる場合には、各受信データあるいは判定データの一致の度合を誤り訂正に役立てることができ、誤り訂正の性能を向上させることが可能となる。
【図面の簡単な説明】
【図１】本発明に係る信号受信装置の構成を示すブロック図である。
【図２】図１に示した復調器の詳細な構成を示すブロック図である。
【図３】図１に示した復調器の変形例の詳細な構成を示す図である。
【図４】マルチユーザ・マルチステージ干渉キャンセラを備えた信号受信装置の構成を示すブロック図である。
【図５】回線品質指数と判定データとの対応を示すグラフである。
【図６】従来の従来のビット誤り率推定装置の構成を示すブロック図である。
【図７】誤り率推定部の詳細な構成を示すブロック図である。
【符号の説明】
１００  信号受信装置
１１０  受信アンテナ
１２０、１２０ａ  復調器
１２１  ベースバンド変換部
１２２  ＲＡＫＥ受信部
１２３−１〜１２３−ｎ  遅延器
１２４−１〜１２４−ｎ  干渉キャンセラ
１２５−１〜１２５−ｎ  判定部
１３０  回線品質指数検出器
【図１】
0004045063.tif 000007
【図２】
0004045063.tif 000008
【図３】
0004045063.tif 000009
【図４】
0004045063.tif 000010
【図５】
0004045063.tif 000011
【図６】
0004045063.tif 000012
【図７】
0004045063.tif 000013